(57)【要約】      （修正有）【課題】靴下編み機と駆動機とを切り離すことができる靴下編み装置を提供する。【解決手段】靴下編み機Ｃと自転車型駆動機Ｂ１とからなる靴下編み装置Ａ１である。靴下編み機Ｃは駆動軸１が回転すると、供給された糸ａによって靴下が編まれる。自転車型駆動機Ｂ１は、フレーム１０、ハンドル１１、サドル１２、チェーンホイール１３、ペダル１５を有する。人Ｍが腰掛けてペダル１５を踏むと、その回転力がチェーン１８を介して靴下編み機Ｃの駆動軸１に伝達されて靴下編み機Ｃが動く。チェーン１８を外して、靴下編み機Ｃと自転車型駆動機Ｂ１とを切り離してイベント会場等に運んで、所要位置に設置する。人Ｍに好みの靴下を聞き、それに対応する、糸や編み方を靴下編み機Ｃにセットする。人がペダル１５を踏むと、靴下編み機Ｃが作動し、その人の好みの靴下が製造される。【選択図】図１
0003211621.tif 000002
【実用新案登録請求の範囲】
【請求項１】
靴下編み機（Ｃ）と、自転車型駆動機（Ｂ１、Ｂ２）とからなり、
上記靴下編み機（Ｃ）は、駆動軸（１）が回転すると、供給された糸（ａ）によって靴下が編まれるものであり、
上記自転車型駆動機（Ｂ１、Ｂ２）は、立設されたフレーム（１０、２０）と、そのフレーム（１０、２０）の上部前後に設けたハンドル（１１、２１）及びサドル（１２、２２）と、前記フレーム（１０、２０）の下部に設けた回転体（１３、２３）と、その回転体（１３、２３）を前記サドル（１２、２２）に腰掛けた人間（Ｍ）が回すクランク（１４、２４）を介したペダル（１５、２５）と、を有し、
上記回転体（１３、２３）の回転を上記靴下編み機（Ｃ）の駆動軸（１）に伝達するようにした靴下編み装置。
【請求項２】
上記靴下編み機（Ｃ）と自転車型駆動機（Ｂ１、Ｂ２）とは切り離して別々に運搬可能となっており、上記回転体（１３、２３）の回転を靴下編み機（Ｃ）の駆動軸（１）に伝達する手段を、上記回転体（１３、２３）又は駆動軸（１）に連動したスプロケット（４、１９、２９）を介したそのスプロケットから取り外し可能なチェーン（１８、２８）やタイミングベルトとしたことを特徴とする請求項１に記載の靴下編み装置。
【考案の詳細な説明】
【技術分野】
【０００１】
この考案は、イベント会場等において、靴下製造を実演し得る靴下編み装置に関するものである。
【背景技術】
【０００２】
靴下（ソックス）は脚部を被う衣類であり、その表面模様は編み糸の色や編み方を変化させることによって種々のものが得られる。
このような靴下において、その靴下表面に絵柄を施（形成）したり（特許文献１要約参照）、その絵柄を発光ダイオードによって照射したりして（特許文献２要約参照）、特異性を出したものがある。
一方、靴下の包装態様を変化させて販売促進を図ろうとする考えも示されている（特許文献３〜５参照）。
【先行技術文献】
【特許文献】
【０００３】
【特許文献１】実開昭６１−１９１３０８号公報
【特許文献２】特開平０３−２０５２０４号公報
【特許文献３】特開２００２−２８４２２３号公報
【特許文献４】特開２００４−１０７０４９号公報
【特許文献５】意匠登録第１１８０９２２号公報
【特許文献６】特開２００３−４９３４９号公報
【特許文献７】特開２００５−１２０４８３号公報
【考案の概要】
【考案が解決しようとする課題】
【０００４】
ところで、靴下は、外国からの輸入品からなる安価なものと、国産品の高価なものに二極化しており、多様化した今日、自分の好みに合えば、高価な靴下であっても買うことから、今日の大型商業施設では、数軒の靴下専門店が入っている。
しかし、安価な靴下の輸入により、国内における靴下製造業者も減少の一途であり、我が国有数の靴下生産地である奈良の馬見地区（広陵町）も例外ではない。
【０００５】
この考案は、上記実状の下、靴下の販売促進を図ることを課題とする。
【課題を解決するための手段】
【０００６】
上記課題を達成するため、この考案は、靴下編み機と、自転車型駆動機とからなり、前記靴下編み機は、駆動軸が回転すると、供給された糸によって靴下が編まれるものであり、前記自転車型駆動機は、立設されたフレームと、そのフレームの上部前後に設けたハンドル及びサドルと、前記フレームの下部に設けた回転体と、その回転体を前記サドルに腰掛けた人間が回すクランクを介したペダルと、を有し、前記回転体の回転を前記靴下編み機の駆動軸に伝達する構成を採用したのである。
【０００７】
この構成の靴下編み装置は、イベント会場に運び、その設置場所において、子供や大人が自転車型駆動機に乗って、ペダルを踏むと、その回転力が靴下編み機の駆動軸に伝わり、靴下編み機が作動する。このため、その靴下編み機に、前記の自転車型駆動機に乗った人の好みの靴下に対応する、糸や編み方をセットしておくと、その好みの靴下が製造される。
この靴下は、その人一人だけの物（一品品）となり、靴下に愛着が湧く。この実演に伴って、他の種々の態様の靴下を販売すれば、その販売促進となる。
【０００８】
また、上記靴下編み機と自転車型駆動機とは切り離して別々に運搬可能とするとともに、上記回転体の回転を靴下編み機の駆動軸に伝達する手段を、上記回転体又は駆動軸に連動したスプロケットを介したそのスプロケットから取り外し可能なチェーンやタイミングベルトとすれば、そのチェーン等をスプロケットから外すことによって、靴下編み機と自転車型駆動機とを切り離すことができる。このため、その切り離した靴下編み機と自転車型駆動機とを別々にしてイベント会場等に容易に運ぶことができる。
【考案の効果】
【０００９】
この考案は、以上のように構成したので、顧客のみの靴下製造を実演することができる。このため、その実演に伴って靴下の販売を促進できる。
【図面の簡単な説明】
【００１０】
【図１】この考案に係わる靴下編み装置の一実施形態の斜視図
【図２】同他の実施形態の斜視図
【考案を実施するための形態】
【００１１】
この考案に係わる靴下編み装置の実施形態を図１、図２に示し、この実施形態の靴下編み装置Ａ１、Ａ１は、靴下編み機Ｃと、自転車型駆動機Ｂ１、Ｂ２とからなる。
靴下編み機Ｃは、特許文献６、７に示される、従来から周知の構成のものであって、モータ２によってチェーン３及びスプロケット４を介して駆動軸１が回転すると、巻き糸（ボビン）Ｔから供給された（導かれた）糸ａによって靴下が編まれるものである。
【００１２】
一の実施形態の自転車型駆動機Ｂ１は、自転車そのものであって、立設されたフレーム１０と、そのフレーム１０の上部前後に設けたハンドル１１及びサドル１２と、フレーム１０の下部に設けた回転体（チェーンホイール）１３と、その回転体１３を前記サドル１２に腰掛けた人間Ｍが回すクランク１４を介したペダル１５と、を有する。
【００１３】
この自転車（駆動機）Ｂ１は、チェーンホイール１３とスプロケット１６の組合せを複数持ち、チェーン１７を掛け替える方式の外装変速機（詳細は周知であるから省略）を有する。チェーンホイール１３と同軸のスプロケット（回転体）１９と靴下編み機Ｃのモータ軸に固定の歯車（スプロケット）４の間にローラチェーン１８が掛け渡されている。
このため、この自転車型駆動機Ｂ１のサドル１２に人Ｍが腰掛けてペダル１５を踏むと、スプロケット１９が回転し、その回転力がチェーン１８を介して靴下編み機Ｃのスプロケット４に伝わり、さらに、チェーン３及びスプロケット４を介して駆動軸１が回転し、靴下編み機Ｃが動く（作動する）。
自転車Ｂ１側のスプロケット１９は、外装変速機のスプロケットと別に設けても良いが、その外装変速機のスプロケットの一つとすることもできる。このとき、チェーン１８を掛けるスプロケットは外装変速機の適宜な大きさのスプロケットを選択することによって、靴下編み機Ｃを動かす、自転車（駆動機）Ｂ１側の作動力（踏み込み力）を調整できるため、子供や大人等の体力差に対応することができる。
【００１４】
この実施形態の靴下編み装置Ａ１は以上の構成であり、チェーン１８を外して、靴下編み機Ｃと自転車型駆動機（自転書）Ｂ１とを切り離し、その切り離した靴下編み機Ｃと自転車Ｂ１とを、イベント会場等に運んで、図１に示すように所要位置に設置する。このとき、チェーン１８が張られてスプロケット１９の回転力が靴下編み機Ｃのスプロケット４に円滑に伝達し得るように、靴下編み機Ｃと自転車Ｂ１との間隔を設定する。
この設置状態において、自転車型駆動機Ｂ１に乗ってもらう子供や大人Ｍに、その人Ｍの好みの靴下を聞く。その好みの靴下に対応する、糸や編み方を靴下編み機Ｃにセットする。
【００１５】
その後、人Ｍがペダル１５を踏むと、その回転力が靴下編み機Ｃの駆動軸１に伝わり、靴下編み機Ｃが作動する。すると、ペダル１５を踏んだ人Ｍの好みの靴下が製造される。この靴下は、その人一人の物（一品品）となり（自分だけの靴下となり）、その靴下に愛着が湧く。この実演の靴下作成は体験型であってその体験に伴って、他の種々の態様の靴下を販売すれば、その販売促進となる。
【００１６】
この考案に係わる靴下編み装置の他の実施形態を図２に示し、この実施形態の靴下編み装置Ａ２は、靴下編み機Ｃと、自転車型駆動機Ｂ２とからなる。
靴下編み機Ｃは、上記実施形態と同様に、従来から周知の構成のものであって、駆動軸１が回転すると、供給された糸ａによって靴下が編まれるものである。なお、上記と同一符号は同一物を示す。
【００１７】
自転車型駆動機Ｂ２は、室内で固定する乗用自転車型のフィットネス器具としてのスピンバイク、又はエアロバイク（登録商標）を採用したものである。
この図に示す実施形態はスピンバイク形式としたものであり、同様に、立設されたフレーム２０と、そのフレーム２０の上部前後に設けたハンドル２１及びサドル２２と、フレーム２０の下部に設けた回転体（チェーンホイール）２３と、そのチェーンホイール２３を前記サドル２２に腰掛けた人間Ｍが回すクランク２４を介したペダル２５と、を有する。
【００１８】
このスピンバイクＢ２は、フレーム２０の前部にホイール２７を有し、そのホイール２７がチェーン２６によってチェーンホイール２３に連結されており、ペダル２５を踏むことによってホイール２７が回転する。このホイール２７にスプロケット２９が付設されて、このスプロケット２９と上記靴下編み機Ｃのモータ軸に固定の歯車（スプロケット）４の間にローラチェーン２８が掛け渡されている。
このため、このスピンバイクＢ２のサドル２２に人Ｍが腰掛けてペダル２５を踏むと、ホイール２７が回転し、その回転力がチェーン２８を介して靴下編み機Ｃのスプロケット４に伝わり、さらに、チェーン３及びスプロケット４を介して駆動軸１が回転し、靴下編み機Ｃが動く（作動する）。
【００１９】
この実施形態の靴下編み装置Ａ２は以上の構成であり、同様に、ローラチェーン２８を外して、靴下編み機Ｃと自転車型駆動機（スピンバイク）Ｂ２とを切り離し、その切り離した靴下編み機ＣとスピンバイクＢ２とを、イベント会場等に運んで、図２に示すように所要位置に設置する。このとき、同様に、チェーン２８が張られてスプロケット２９の回転力が靴下編み機Ｃのスプロケット４に円滑に伝達し得るように、靴下編み機ＣとスピンバイクＢ２との間隔を設定する。
この設置状態において、スピンバイクＢ２に乗ってもらう子供や大人Ｍに、その人Ｍの好みの靴下を聞く。その好みの靴下に対応する、糸や編み方を靴下編み機Ｃにセットする。
【００２０】
その後、人Ｍがペダル２５踏むと、その回転力が靴下編み機Ｃの駆動軸１に伝わり、靴下編み機Ｃが作動する。すると、ペダル２５を踏んだ人Ｍの好みの靴下が製造される。この靴下は、その人一人の物（一品品）となり（自分だけの靴下となり）、その靴下に愛着が湧く。この実演の靴下作成は同様に体験型であってその体験に伴って、他の種々の態様の靴下を販売すれば、その販売促進となる。
【００２１】
上記靴下編み機Ｃにおいて、所望の靴下に応じて、駆動軸１の回転数が設定されるため、操作者Ｍには、その回転数で、ペダル１５、２５の踏み込み数を止めてもらったり、その回転数になれば、駆動軸１が空回りしたりするようにする。この所要の回転数を把握する必要から、チェーン１８、２８が好ましく、タイミングベルトとすることもできる。しかし、駆動軸１の回転数をその操作者Ｍ自身で把握できれば、通常のベルトを採用し得る。
靴下編み機Ｃと自転車型駆動機（自転車、スピンバイク）Ｂ１、Ｂ２とを切り離す必要が無ければ、チェーン１８、２８に代えて歯車列とすることができる。
【００２２】
上記製造される靴下は、靴下編み機Ｃへの糸ａや編み方を変更することによって、種々の態様のものが製作される。このため、靴下に類した、各種サポーター、レッグウォーマー、アームカバー、レギンス等に加えて、タイツ、マフラー、スヌード、ポンチョ、ニット帽、ニットパンツ、腹巻、その他の編み物を製造することができる。
【００２３】
小さな子供でも、自転車型駆動機（自転車、スピンバイク）Ｂ１、Ｂ２を作動（ペダルを回転）し得るように、電動アシスト形式とすることもできる。
また、ペダル１５、２５を踏み込んで回転力を得る自転車型であれば、他の構成の駆動機とし得ることは勿論である。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００２４】
Ａ１、Ａ２  靴下編み装置
Ｂ１、Ｂ２  自転車型駆動機（自転車、スピンバイク）
Ｃ  靴下編み機
Ｔ  巻き糸
ａ  糸
１０、２０  フレーム
１１、２１  ハンドル
１２、２２  サドル
１３、２３  回転体（チェーンホイール）
１４、２４  クランク
１５、２５  ペダル
１６  スプロケット
１７、２６  チェーン
１８、２８  ローラチェーン
１９、２９  スプロケット
２７  ホイール
【図１】
0003211621.tif 000003
【図２】
0003211621.tif 000004